(57)【特許請求の範囲】
【請求項１】
移動通信端末機の制御方法であって、
複数のアイテムのリストをタッチスクリーンの第１表示領域に表示するステップであって、前記複数のアイテムの前記リストは、対応する情報が入力されているアイテムを指示子によって示すように構成されると共に、前記複数のアイテムのうちの一つのアイテムが前記タッチスクリーンの前記第１表示領域の中央に表示される、ステップと、
前記タッチスクリーンの前記第１表示領域の中央に表示されたアイテムに対応する第１情報を、前記タッチスクリーンの前記第１表示領域よりも大きい第２表示領域に表示し、前記タッチスクリーンの前記第１表示領域の中央に表示されたアイテム以外のアイテムに対応する情報は表示しないステップと、
前記タッチスクリーンに対する第１タッチ操作に基づいて前記複数のアイテムの前記リストをスクロールするステップと、
を含み、
前記複数のアイテムの前記リストがスクロールされることによって、前記タッチスクリーンの前記第１表示領域の中央に表示されるアイテムが変更され、前記タッチスクリーンの前記第１表示領域の中央に表示されるアイテムが変更されることによって、前記第２表示領域に表示される第１情報が変更されることを特徴とする移動通信端末機の制御方法。
【請求項２】
表示された前記第１情報に対する第２タッチ操作を受信するステップと、
受信した前記第２タッチ操作に基づいて、前記タッチスクリーンの前記第１表示領域の中央に表示されたアイテムに対応する第２情報を前記第２表示領域に表示するステップと、をさらに含み、
前記第２情報は前記第１情報とは異なることを特徴とする請求項１に記載の移動通信端末機の制御方法。
【請求項３】
前記第２情報を表示する際に、前記タッチスクリーンから見えなくなるように前記第１情報を移動させるステップをさらに含むことを特徴とする請求項２に記載の移動通信端末機の制御方法。
【請求項４】
前記複数のアイテムは、写真データ、電話帳データ又は日程データを含むことを特徴とする請求項１〜３のいずれか一つに記載の移動通信端末機の制御方法。
【請求項５】
前記リストをスクロールするステップは、徐々に増加するスクロール速度で当該リストをスクロールすることを含むこと特徴とする請求項１〜４のいずれか一つに記載の移動通信端末機の制御方法。
【請求項６】
前記第１タッチ操作の押圧力が大きくなるほど、又は、前記第１タッチ操作が連続して行われた場合に、前記スクロール速度を増加させることを特徴とする請求項５に記載の移動通信端末機の制御方法。
【請求項７】
前記リストのスクロール中にスクロール停止信号を受信すると、当該スクロール停止信号に対応するスクロール停止位置で前記リストのスクロールを停止するステップをさらに含み、
前記リストのスクロールが停止されると、前記スクロール停止位置に対応した前記第１情報が表示されることを特徴とする請求項１〜６のいずれか一つに記載の移動通信端末機の制御方法。
【請求項８】
前記スクロール停止位置に近づくほどスクロール速度が徐々に減少することを特徴とする請求項７に記載の移動通信端末機の制御方法。
【請求項９】
前記第１タッチ操作は、前記タッチスクリーンに対するタッチアンドドラッグを含むことを特徴とする請求項１〜８のいずれか一つに記載の移動通信端末機の制御方法。
【請求項１０】
前記第１タッチ操作は、前記タッチスクリーンに表示されたスクロールバーに対するタッチアンドドラッグであることを特徴とする請求項９に記載の移動通信端末機の制御方法。
【請求項１１】
複数のアイテムのリストのうちの一つのアイテムが第１表示領域の中央に表示されるように当該複数のアイテムのリストを前記第１表示領域に表示すると共に、前記第１表示領域の中央に表示された前記一つのアイテムに対応する第１情報を前記第１表示領域よりも大きい第２表示領域に表示するタッチスクリーンと、
前記タッチスクリーンに対する第１タッチ操作に基づいて前記複数のアイテムの前記リストをスクロールする制御部と、
を含み、
前記複数のアイテムの前記リストは、対応する情報が入力されているアイテムを指示子によって示すように構成され、
前記複数のアイテムの前記リストがスクロールされることによって、前記タッチスクリーンの前記第１表示領域の中央に表示されるアイテムが変更され、前記タッチスクリーンの前記第１表示領域の中央に表示されるアイテムが変更されることによって、前記第２表示領域に表示される第１情報が変更されることを特徴とする移動通信端末機。
【請求項１２】
前記制御部は、表示された前記第１情報に対する第２タッチ操作を受信すると、受信した前記第２タッチ操作に基づいて、前記タッチスクリーンの前記第１表示領域の中央に表示されたアイテムに対応する第２情報を前記第２表示領域に表示し、
前記第２情報は前記第１情報とは異なることを特徴とする請求項１１に記載の移動通信端末機。
【請求項１３】
前記第１情報は、前記第２情報が表示されると前記タッチスクリーンから見えなくなることを特徴とする請求項１２に記載の移動通信端末機。
【請求項１４】
前記複数のアイテムは、写真データ、電話帳データ又は日程データを含むことを特徴とする請求項１１〜１３のいずれか一つに記載の移動通信端末機。
【請求項１５】
前記制御部は、スクロール開始信号を受信すると、スクロール速度を徐々に増加させながら前記リストをスクロールすること特徴とする請求項１１〜１４のいずれか一つに記載の移動通信端末機。
【請求項１６】
前記制御部は、前記第１タッチ操作の押圧力が大きくなるほど、又は、前記第１タッチ操作が連続して行われた場合に、前記スクロール速度を増加させること特徴とする請求項１５に記載の移動通信端末機。
【請求項１７】
前記制御部は、前記リストのスクロール中にスクロール停止信号を受信すると、当該スクロール停止信号に対応するスクロール停止位置で前記リストのスクロールを停止させることを特徴とする請求項１１〜１６のいずれか一つに記載の移動通信端末機。
【請求項１８】
前記スクロール停止位置に近づくほどスクロール速度が徐々に減少することを特徴とする請求項１７に記載の移動通信端末機。
【請求項１９】
前記第１タッチ操作は、前記タッチスクリーンに対するタッチアンドドラッグを含むことを特徴とする請求項１１〜１８のいずれか一つに記載の移動通信端末機。
【請求項２０】
前記第１タッチ操作は、前記タッチスクリーンに表示されたスクロールバーに対するタッチアンドドラッグであることを特徴とする請求項１９に記載の移動通信端末機。
【発明の詳細な説明】
【技術分野】
【０００１】
本発明は、移動通信端末機及びその制御方法に関し、特に、画面の表示内容（以下単に画面という場合もある）をスクロールさせる技術に関する。
【背景技術】
【０００２】
現在、移動通信端末機は、マルチメディアデータを処理するためのディスプレイ機能が強化されて、多様なデータを高画質の画面で提供している。このような、移動通信端末機は、携帯性及び移動性を確保するために、小型に設計されるという特性があることから、ディスプレイ領域（表示画面の大きさ）には制約がある。
【０００３】
このように制約的な画面を介して該画面よりも大きさのテキスト及びイメージなどのデータを提供するために、移動通信端末機は、スクロール機能を提供している。このスクロール機能は、画面に表示しきれなかった部分を表示させるために、画面に表示されているデータを上下左右に移動させたり、画面中の文字を上下左右に移動させたりするものであって、１つの画面内に一度に表示できない部分を確認可能にするものである。
【０００４】
このようなスクロール機能をサポートしている移動通信端末機においては、スクロールキーとして設定されている方向キーやサイドキーなどを選択すれば、現在画面に表示されている内容が一定の距離分だけスクロールされ（上下方向又は左右方向に移動させられ）、該スクロールキーを連続して選択するか、あるいは、長押しすることによって、スクロール動作を繰り返して、所望の部分を画面に表示させることができる。
【発明の開示】
【発明が解決しようとする課題】
【０００５】
しかし、従来の移動通信端末機では、画面の表示内容が一定の距離単位でスクロールされるようになっているので、特にスクロール距離が長くなるような場合には、表示画面の移動が不連続的に行われて、使用感が滑らかでなく、スクロール画面が見易いとは言えなかった。
【０００６】
また、従来の移動通信端末機では、別途のスクロール速度の調節機能を有していないころから、例えばスクロールを速く行いたいような場合には、ユーザがスクロールキーの選択動作を速く行わなければならず、不便である。さらに、スクロール距離が長い場合には、操作回数又は操作時間が多くなる。
このように、従来の移動通信端末機は、表示画面のスクロール操作において依然として改善の余地がある。
【０００７】
本発明は、このような課題に着目してなされたものであり、その目的は、スクロール命令信号によって画面の表示内容をスクロールさせると共に、スクロール区域内におけるスクロール速度を変化させることによって、違和感がなく自然でユーザによって見易いスクロール画面を提供し、所望の領域へと速やかにスクロールすることを可能とする移動通信端末機及びその制御方法を提供することにある。
【課題を解決するための手段】
【０００８】
上記の目的を達成すべく、本発明に係る移動通信端末機の制御方法は、複数のアイテムのリストをタッチスクリーンの第１表示領域に表示するステップであって、前記複数のアイテムの前記リストは、対応する情報が入力されているアイテムを指示子によって示すように構成されると共に、前記複数のアイテムのうちの一つのアイテムが前記タッチスクリーンの前記第１表示領域の中央に表示される、ステップと、前記タッチスクリーンの前記第１表示領域の中央に表示されたアイテムに対応する第１情報を、前記タッチスクリーンの前記第１表示領域よりも大きい第２表示領域に表示し、前記タッチスクリーンの前記第１表示領域の中央に表示されたアイテム以外のアイテムに対応する情報は表示しないステップと、前記タッチスクリーンに対する第１タッチ操作に基づいて前記複数のアイテムの前記リストをスクロールするステップと、を含み、前記複数のアイテムの前記リストがスクロールされることによって、前記タッチスクリーンの前記第１表示領域の中央に表示されるアイテムが変更され、前記タッチスクリーンの前記第１表示領域の中央に表示されるアイテムが変更されることによって、前記第２表示領域に表示される第１情報が変更されることを特徴とする。
【００２０】
また、本発明に係る移動通信端末機は、複数のアイテムのリストのうちの一つのアイテムが第１表示領域の中央に表示されるように当該複数のアイテムのリストを前記第１表示領域に表示すると共に、前記第１表示領域の中央に表示された前記一つのアイテムに対応する第１情報を前記第１表示領域よりも大きい第２表示領域に表示するタッチスクリーンと、前記タッチスクリーンに対する第１タッチ操作に基づいて前記複数のアイテムの前記リストをスクロールする制御部と、を含み、前記複数のアイテムの前記リストは、対応する情報が入力されているアイテムを指示子によって示すように構成され、前記複数のアイテムの前記リストがスクロールされることによって、前記タッチスクリーンの前記第１表示領域の中央に表示されるアイテムが変更され、前記タッチスクリーンの前記第１表示領域の中央に表示されるアイテムが変更されることによって、前記第２表示領域に表示される第１情報が変更されることを特徴とする。
【発明の効果】
【００３４】
本発明によると、スクロールによる画面表示内容の移動動作が連続的に行われて、違和感のない自然なスクロール画面を提供することができる。この結果、ユーザにとって見易いスクロール画面としつつ、速やかなスクロールを実現できる。
特に、スクロールの停止位置に近づくにつれてスクロール速度を徐々に減少させるようにすれば、スクロール停止直前の画面の確認が容易に行えるので、ユーザに画面検索上の便宜を提供することができ、また、スクロール開始から徐々にスクロール速度を増加させるようにすれば、ユーザの目を慣らしながら高速のスクロールへの滑らかに移行することができる。これにより、特にデータが大量にあるような場合に、所望の画面へと容易かつ速やかにスクロールさせることが可能となる。
【発明を実施するための最良の形態】
【００３５】
以下、添付図面を参照して、本発明の好ましい実施形態に係るスクロール機能を有する移動通信端末機及びその情報表示方法について詳細に説明する。
【００３６】
図１は、本実施形態に係る移動通信端末機のブロック図である。
図１に示すように、本実施形態に係る移動通信端末機は、無線送受信のためのＲＦモジュール１と、マイクＭＩＣ及びスピーカーＳＰＫを介して入出力されるオーディオ信号を処理するオーディオ処理部３と、スクロール機能選択が可能なユーザ入力部９と、ディスプレイ部７と、ユーザ情報及び端末機制御のためのプログラムが保存されるメモリ部１２と、ディスプレイ部７に所定データを表示しユーザ入力部９に入力されたスクロール開始及び終了選択に応じてディスプレイ部７に表示されたデータのスクロール速度を可変制御する制御部５と、を含んで構成される。
【００３７】
ディスプレイ部７は、制御部５が出力するグラフィックデータを画面に表示して、制御部５がスクロール機能を行うときに、テキストやイメージが上下左右にスクロールされた画面を表示する。
【００３８】
ユーザ入力部９は、数字及び文字情報を入力するか、又は機能を制御するための各種入力装置を含む。
ユーザ入力部９には、キーパッド、方向キー、サイドキーなどのキー入力手段、又は接触センサ、距離センサ、地磁気センサなどユーザ入力のためのセンサ装置、ディスプレイ部７上に備えられるタッチパネルなどを適用できる。
ユーザ入力部９のうちの一部、例えば、方向キー、サイドキー、センサ装置、タッチパネルに表示されたスクロールバー等は、スクロール機能選択のためのスクロールキーに設定されており、ユーザが必要に応じてスクロール機能を選択できる。
ここで、スクロールキーは、スクロールの開始／停止／加速／減速などの機能選択のために、複数のキーをスクロールキーとして設定するか、又は１つのユーザ入力部９を使用するものの入力回数、入力順序などの入力方法に応じて複数の機能を選択できるようにすることが可能である。例えば、圧力センサ等をスクロールキーに設定した場合には、入力される圧力（押圧力）が大きくなるほどスクロール速度を増加させるようにすることができ、タッチセンサの場合には、スクロールキーを速い速度で連続選択する場合にスクロール速度を増加させるようにすることができる。
【００３９】
メモリ部１２には、ユーザが入力したユーザデータや端末機の機能制御のための制御データが保存される。
ここで、ユーザデータには、写真データ、電話帳データ、ユーザ日程情報１６等、ユーザが移動通信端末機の機能使用のために保存したデータが含まれる。
また、制御データには、移動通信端末機の機能制御のための各種制御プログラムと、付加機能を提供するためのプログラム、例えばユーザ日程情報１６を管理するための日程管理プログラム１４と、本発明に係るスクロール機能を提供するためにスクロールプログラム１８と、が含まれる。
【００４０】
なお、ユーザ日程情報１６には、ユーザが入力した約束、業務計画などの日程と、該日程の日付、時間、場所などの関連情報が含まれる。
【００４１】
日程管理プログラム１４は、ユーザ日程情報１６の入出力インターフェスを提供し、ユーザが入力したユーザ日程情報１６を管理する。例えば、日程情報の入力のための入力ウィンドウとその確認のための表示ウィンドウとを提供し、ユーザ日程情報１６が入力された日付に対してリマインダー機能を行って、日程管理機能を提供する。
【００４２】
スクロールプログラム１８は、フラッシュをベースにしたプログラムを利用できる。ここで、フラッシュはマクロメディアが開発した著作ソフトウェアであって、単純な相互作用を伴うベクトルベースのアニメーション映像を作るのに用いられるが、映像処理速度が速く、グラフィック表現がやわらかく、かつ、比較的容量が小さいことから、移動通信端末機の入出力を制御するのに利用される。
また、スクロールプログラム１８は、ユーザ入力に応じたグラフィックデータ制御機能を行い、ユーザのスクロール入力に応じてスクロール速度が可変制御されるグラフィックデータを生成して、ディスプレイ部７に提供することができる。
【００４３】
制御部５は、メモリ部１２に保存された制御データに基づいて、電話帳機能、日程機能、メモ機能、アルバム機能などを含む移動通信端末機の全般的な機能の実行を制御し、その結果として生成されたグラフィックデータをディスプレイ部７に提供して画面にテキスト及びイメージが表示されるようにする。
【００４４】
また、制御部５は、ユーザ入力部９を介したユーザによるスクロール機能の選択に応じて、ディスプレイ部７に表示された画面を上下左右にスクロールさせるように制御するが、スクロール開始信号を受信する（スクロール開始指令が入力される）とスクロールを開始すると共にそのスクロール速度を徐々に増加させ、スクロール停止信号を受信すると（スクロール停止指令が入力されると）スクロール区間の終点（スクロール停止位置）を換算し、スクロール速度を徐々に減少させることによって、前記換算して終点でスクロールを停止させるように制御する。なお、上記スクロールの終点（スクロール停止位置）には、スクロール中に受信したスクロール停止信号に基づいて決定されるもののほか、スクロールに際してあらかじめ決定されるものやディスプレイ部７に表示されている情報に基づいて（自動的に）決定されるものも含まれる。
【００４５】
ここで、制御部５は、スクロール加速／減速機能が設定されたスクロールキーから該当信号が入力された場合にスクロール速度を可変制御するが、例えば、圧力センサに入力される圧力（押圧力）が増加するか、タッチセンサで連続入力が感知される場合に、スクロール速度を増加させる等の制御動作も可能である。なお、このような制御部５のスクロール機能制御は、スクロールプログラム１８を介して具現される。
【００４６】
図２は、本実施形態に係る移動通信端末機におけるスクロール動作状態図である。
【００４７】
ディスプレイ部７の画面に表示しようとするグラフィックデータが画面の大きさより大きい場合、ディスプレイ部７には、スクロール状態を表示するためのスクロールライン２２及びスクロールバー２０が表示される。
スクロールライン２２は、グラフィックデータ全体の横長あるいは縦長を示し、スクロールバー２０の位置は、グラフィックデータ全体に対する現在表示中のグラフィックデータの位置を示す。スクロールバー２０がスクロールライン２２の終わりに到達すると、グラフィックデータの終わり部分が表示中であることが分かり、スクロールバー２０がスクロールライン２２の中間位置に表示されていると、画面表示領域を外れた（すなわち、画面に表示されていない）グラフィックデータがあることを認識できる。
【００４８】
ここにおいて、ユーザがユーザ入力部９を介してスクロール機能を選択すると（スクロール開始命令が入力されると）、制御部５は、スクロール開始が選択されたことを認識して、現在表示中の画面をスクロール開始点（ａ）として画面をスクロールし、そのスクロール速度を次第（徐々）に増加させるようにする。このとき、制御部５は、スクロールライン２２上のスクロールバー２０も画面のスクロールに合わせて移動させて、ユーザがスクロール状態を確認できるようにする。
【００４９】
画面スクロール中に、ユーザが確認しようとする画面でのスクロール停止機能を選択すると（スクロール停止信号を受信すると）、制御部５は、スクロール区間の終点、すなわち、スクロール停止位置（ｃ）を換算し、スクロール速度を徐々に減少させてスクロール区間の終点（ｃ）でスクロールを停止させる。
【００５０】
すなわち、図２におけるクロール速度グラフに示すように、スクロール速度は、スクロール開始点（ａ）から次第に増加し、スクロール終点（ｃ）に近接するほど減少して、最終的にスクロール終点（ｃ）の画面が表示されるようにしている。このように、スクロールの開始及び終了の際にスクロール速度が次第に変化していくことによって、ユーザが目視し易い自然なスクロール画面を提供することができる。
【００５１】
また、確認が要らない画面区間では速かにスクロールさせる一方、ユーザが確認しようとする画面、すなわち、スクロール区間の終点（ｃ）に近接すると、スクロール速度を減少させて画面の確認を容易にすることで、画面検索上の便宜を提供することができる。これにより、写真データ、電話帳データ、日程データなどを視覚的に検索する場合に、検索を容易にすることができる。
つまり、スクロール開始から徐々にスクロール速度を増加させることでユーザの目を慣らしながら高速のスクロールへと移行し、スクロール停止前においてはスクロール速度を徐々に減少させることでユーザがスクロール停止直前の画面を容易に確認できるようにしている。この結果、特にデータが大量にあるような場合に、所望の画面へと容易かつ速やかにスクロールさせることが可能となる（上記スクロール停止後、画面を戻す方向又は進む方向に、数回スクロールさせることでより詳細な検索を行う場合も含む）。
【００５２】
図３は、本実施形態に係る移動通信端末機において、スクロール機能が適用された日程管理表示ウィンドウの表示状態図を例示したものである。
このような日程管理表示ウィンドウでは、日程管理プログラム１４に基づいてユーザ日程情報１６をディスプレイ部７に表示する一方、スクロールプログラム１８に基づき、ユーザのスクロール入力に応じてユーザ日程情報１６が表示された画面をスクロールする。
【００５３】
図３に示すように、日程管理プログラム１４が提供する日程管理表示ウィンドウは、日程情報が表示される日程ビューウィンドウ３５と、日付確認のための第１タイムライン３７及び第２タイムライン４１と、現在表示されている日程の日付を表示すると共に日程ビューウィンドウ３５のスクロール状態を示すタイムスクロールバー３０及びタイムスクロールライン３２と、日程管理機能で提供するメニュー４３と、を含んで構成される。
【００５４】
ここで、ユーザは、メニュー４３を介して提供される日程追加（Ａｄｄ）機能を利用して日程情報を入力するか、又は、日程編集（Ｅｄｉｔ）機能を利用して入力された日程情報を編集することができ、また、オプション（Ｏｐｔｉｏｎ）機能を利用して日程ビューウィンドウ３５の色相、表示状態を選択する等、使用環境を設定することができる。
【００５５】
日程ビューウィンドウ３５には、ユーザが入力したイベント、約束、場所などのユーザ日程情報１６が表示され、所定のグラフィックやユーザが登録した写真が共に表示されることも可能である。
【００５６】
ユーザ日程情報１６は、日（ｄａｙ）単位で入力されるようになっており、一日単位の日程情報画面が日程ビューウィンドウ３５に表示される。ユーザ日程情報画面の横方向の大きさは固定されており、これを超える情報は、改行して記載される形式で表示される。このため、一日の日程情報画面が日程ビューウィンドウ３５よりも大きな場合には、日程ビューウィンドウ３５に画面スクロールバー４０を提供し、日程ビューウィンドウ３５に表示されない部分を確認できるようにする。
【００５７】
日付確認のための第１タイムライン３７は日（ｄａｙ）を表示し、第２タイムライン４１は月（ｍｏｎｔｈ）を表示する。タイムスクロールバー３０は第１タイムライン３７と第２タイムライン４１との間に介在されて、第１タイムライン３７上の所定日付を指示することによって、現在の日程ビューウィンドウ３５に表示されている日程情報画面の該当日を表示する。
【００５８】
タイムスクロールライン３２及びタイムスクロールバー３０は、日（ｄａｙ）を表示する第１タイムライン３７の下に表示され、タイムスクロールバー３０が第１タイムライン３７の特定日を指示する。また、ユーザ入力部９を介したユーザのスクロール機能の選択に応じてスクロールされる第１タイムライン３７と連動して、現在の日程ビューウィンドウ３５のスクロール状態及び現在表示中の日程情報画面の該当日を指示する。
【００５９】
第１タイムライン３７は、連続する日を左側から右側に向かって順次配列し、両端には矢印を表示して、現在表示中の日より過去及び未来の日に移動するためのスクロール方向を表示する。ここで、図３の第１タイムライン３７は、２１日から２７日までの日（すなわち、１週間分の日付け）を表示しており、ユーザが右側矢印を選択してスクロールすると、第１タイムライン３７は左側方向へ移動して２７日よりも後の日付を表示するようになり、左側矢印を選択してスクロールすると、第１タイムライン３７は右側方向にスクロールされて、２１日よりも前の日付を表示するようになる。
また、このような第１タイムライン３７は、日程指示子３９ａ、３９ｂ、３９ｃを介して日程情報が入力される日付を表示することもできる。なお、図３の第１タイムライン３７は、２３日、２４日、２６日にそれぞれの日程指示子３９ａ、３９ｂ、３９ｃを表示して、該当日付に日程情報が入力されていることを表示している。また、第１タイムライン３７は、日程管理機能を開始するとき、今日の日付を中央にディスプレイして今日を基準として過去及び未来の日程を確認するようにすることができる。
【００６０】
第２タイムライン４１は、連続する月（ｍｏｎｔｈ）を左側から右側に向かって表示し、現在の日程ビューウィンドウ３５に表示された日程情報画面の該当月はハイライトで表示するか、又は拡大表示する等、他の月と区分されるように表示する。なお、図３の第２タイムライン４１は、Ｍａｙ（５月）に該当する日程情報画面が表示されていることを示している。
また、第２タイムライン４１は、第１タイムライン３７の日（ｄａｙ）が翌月に移動することによってスクロールされ、該翌月の月（ｍｏｎｔｈ）表示をハイライト表示する。
【００６１】
図４は、タイムスクロールバー３０の動作状態を示す図（速度グラフを含む）であって、このタイムスクロールバー３０を介して日程ビューウィンドウ３５のスクロール状態が分かる。
【００６２】
ユーザは、所望の日付の日程情報を確認するために、ユーザ入力部９を介してスクロール機能を選択できる。方向キーやサイドキーがスクロールキーに設定されている場合には、ユーザは左／右キー又は上／下キーによってスクロール機能を選択でき、タッチパネルが備えられている場合には、ディスプレイ部７に表示されたタイムスクロールバー３０を所望の方向に選択及びドラッグすることによって、スクロール機能を選択できる。
【００６３】
ここにおいて、スクロールキーが選択されると、ユーザが選択した方向にタイムスクロールバー３０がスクロールされて第１タイムライン３７の特定の日付を指示し、これに応じて、日程ビューウィンドウ３５には、タイムスクロールバー３０が指示する日付の日程情報画面が表示される。
ここで、スクロール動作するタイムスクロールバー３０は、スクロールを開始すると、そのスクロール速度が次第（徐々）に増加し、その後、スクロール停止位置（地点）に近接するにつれてスクロール速度が次第（徐々）に減少してスクロールが停止する。日程ビューウィンドウ３５の日程情報画面もタイムスクロールバー３０の移動動作に連動して、上下方向又は左右方向にスクロールされて、該当日付の日程情報画面を表示する（日程情報画面がスクロールする）。
【００６４】
例えば、図４に示すように、２４日の日程を確認中に右側スクロールを選択すると、タイムスクロールバー３０が移動し始めてその速度は次第に増加する。ここで、日程指示子３９ｃが表示された２６日でのスクロール停止が選択されていると、タイムスクロールバー３０は、その後、移動速度が次第に減少して、２６日を指示する位置で停止する。このとき、このタイムスクロールバー３０のスクロール状態に応じて日程ビューウィンドウ３５に表示された日程情報画面もスクロールする。
また、所定の速度でスクロール動作を行っているときに、ユーザがスクロール加速を選択すると、タイムスクロールバー３２はより速い速度でスクロール動作する。
【００６５】
図５及び図６は、本実施形態に係る移動通信端末機においてスクロール機能が適用された日程管理表示ウィンドウのスクロール画面の表示状態を示したものであって、図５は、日程情報画面が左右方向にスクロールされる場合を例示したものであり、図６は、上下方向にスクロールされる場合を例示したものである。
【００６６】
日程ビューウィンドウ３５には、タイムスクロールバー３０が指示する日付に該当するユーザの日程情報画面が表示される。日程情報画面は、日（ｄａｙ）を単位として表示され、タイムスクロールバー３０がスクロール動作するのに連動して、日程情報画面も図５のように左右方向（右から左）にスクロールされるか、又は、図６のように上下方向（下から上）にスクロールされる。
【００６７】
例えば、図５及び図６に示すように、タイムスクロールバー３０が日程指示子３９ａが表示された２３日からスクロールし始めると、日程ビューウィンドウ３５に表示された２３日の日程情報画面５０ａもスクロールし始めて、次の２４日の日程情報画面５０ｂが表示され始める。ここで、タイムスクロールバー３０のスクロール速度は次第に増加して、日程ビューウィンドウ３５も速かにスクロールされ、ユーザが日程確認を希望する日付でスクロール停止を選択すると、タイムスクロールバー３０及び日程情報画面は次第にスクロール速度が減少して、ユーザが指定した日付の日程情報画面が表示される。
【００６８】
したがって、ユーザが確認しようとする日程情報画面の日付間の差が大きい場合、確認する必要のない日程情報画面を速かにスクロールさせることができる。
ここで、圧力センサ等がスクロールキーに設定されている場合には、ユーザはより大きな圧力で加圧（押圧）することにより、タッチセンサの場合には、タッチセンサを連続的に選択することにより、スクロール速度を増加させるようにすることができる。
一方、確認しようとする日付に近接すると、日程情報画面のスクロール速度が次第に減少して、所望する日付の日程情報画面で日程情報画面が停止するから、ユーザは停止直前の画面を確認することができる。したがって、ユーザにより詳細な画面検索上の便宜を提供することができる
【００６９】
上述した説明では、タイムスクロールバーについて説明しているが、画面スクロール／４０についても同様である。
また、上記実施形態では、日程情報機能に本発明のスクロール方法を適用した場合を例示しているが、アルバムに保存された写真データの写真画面をスクロールして所望の写真を検索するか、又は電話帳に保存された電話帳情報をスクロールして検索するなど、移動通信端末機で用いられる全てのスクロール機能に本発明のスクロール方法を適用することができる（すなわち、少なくともメニューリスト、電話帳リスト、日程リスト及びファイルリストにおけるスクロール機能に適用することができる）。
なお、タッチスクリーンを備えている場合には、該タッチスクリーンがディスプレイ部７及びユーザ入力部９として機能し、該タッチスクリーンに対するタッチアンドドラッグ操作によりスクロール指令が入力されるようにしてもよい。
さらに、上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、本発明の範囲に含まれる。
【図面の簡単な説明】
【００７０】
【図１】本発明の実施形態に係る移動通信端末機のブロック図である。
【図２】実施形態に係る移動通信端末機におけるスクロール動作状態図である
【図３】本発明に係るスクロール機能が適用された日程管理表示ウィンドウの表示状態図である。
【図４】図３のタイムスクロールバー３０の動作状態を示す図である。
【図５】本発明に係るスクロール機能が適用された日程管理表示ウィンドウのスクロール画面の表示状態図である。
【図６】本発明に係るスクロール機能が適用された日程管理表示ウィンドウのスクロール画面の表示状態図である。
【符号の説明】
【００７１】
１…ＲＦモジュール
３…オーディオ処理部
５…制御部
７…ディスプレイ部
９…ユーザ入力部
１２…メモリ部
１４…日程管理プログラム
１６…ユーザ日程情報
１８…スクロールプログラム
２０…スクロールバー
２２…スクロールライン
３０…タイムスクロールバー
３２…タイムスクロールライン
３５…日程ビューウィンドウ
３７…第１タイムライン
３９…日程指示子
４０…画面スクロールバー
４１…第２タイムライン
４３…メニュー
５０ａ，ｂ…日程情報画面
【図１】
0005759662.tif 000002
【図２】
0005759662.tif 000003
【図３】
0005759662.tif 000004
【図４】
0005759662.tif 000005
【図５】
0005759662.tif 000006
【図６】
0005759662.tif 000007